(57)【要約】【課題】記録用紙１５０を搬送する吸引プラテン２５０。【解決手段】ベルト側吸引孔２５３を有する無端ベルト２５４と、減圧源に連通した支持部側吸引孔２５１を有して無端ベルト２５４を支持する支持部２５２とを備え、ベルト側吸引孔２５３と支持部側吸引孔２５１とが重なったときに吸引力を発生して、無端ベルト２５４の表面に記録用紙１５０を吸引しつつ搬送する吸引プラテン２５０であって、支持部側吸引孔２５１は格子状に配され、ベルト側吸引孔２５３における搬送方向の最大長さは、搬送方向に隣接した二つの支持部側吸引孔２５１の外周の最も近い距離よりも大きく、搬送方向に隣接して配される二つのベルト側吸引孔２５３の間に、搬送方向に直交する方向について隣接したベルト側吸引孔２５３が少なくとも１つ配される。【選択図】図５
2009107768.tif 000002
【特許請求の範囲】
【請求項１】
表裏を貫通する複数のベルト側吸引孔を有する無端ベルトと、
減圧源に連通した複数の支持部側吸引孔を有して、駆動される前記無端ベルトの一部を支持して案内する支持部とを備え、
前記ベルト側吸引孔と前記支持部側吸引孔とが互いに略重なったときに吸引力を発生して、前記無端ベルトの表面に支持される被搬送媒体を吸引して当該被搬送媒体を所定方向へ搬送する被搬送媒体搬送装置であって、
前記複数の支持部側吸引孔は、前記支持部上に搬送方向、及び、搬送方向と直交する方向に格子状に配され、
前記ベルト側吸引孔における搬送方向の最大長さは、互いに搬送方向に隣接した二つの前記支持部側吸引孔の外周の最も近い距離よりも大きく形成され、
搬送方向に隣接して配される二つの前記ベルト側吸引孔の間に、搬送方向に直交する方向について隣接した前記ベルト側吸引孔が少なくとも１つ配されることを特徴とする被搬送媒体搬送装置。
【請求項２】
表裏を貫通する複数のベルト側吸引孔を有する無端ベルトと、
減圧源に連通した複数の支持部側吸引孔を有して、駆動される前記無端ベルトの一部を支持して案内する支持部とを備え、
前記ベルト側吸引孔と前記支持部側吸引孔とが互いに略重なったときに吸引力を発生して、前記無端ベルトの表面に支持される被搬送媒体を吸引して当該被搬送媒体を所定方向へ搬送する被搬送媒体搬送装置であって、
前記複数のベルト側吸引孔は、前記被搬送媒体の搬送方向、及び、搬送方向と直交する方向に格子状に配され、
前記支持部側吸引孔における搬送方向の最大長さは、互いに搬送方向に隣接した二つの前記ベルト側吸引孔の外周の最も近い距離よりも大きく形成され、
搬送方向に隣接して配される二つの前記支持部側吸引孔の間に、搬送方向に直交する方向について隣接した前記支持部側吸引孔が少なくとも１つ配されることを特徴とする被搬送媒体搬送装置。
【請求項３】
前記ベルト側吸引孔および前記支持部側吸引孔の少なくとも一方は、前記搬送方向、および、搬送方向に直交する方向に一定の吸引孔間隔で複数配されて集合体をなし、
前記集合体は、前記吸引孔間隔よりも広い集合体間隔で複数配置される請求項１または請求項２に記載の被搬送媒体搬送装置。
【請求項４】
往復移動しつつインクを吐出する記録ヘッドと、
表裏を貫通する複数のベルト側吸引孔を有して、前記記録ヘッドに対向する位置において、前記往復移動の方向と交差する搬送方向に走行する無端ベルトと、
減圧源に連通した複数の支持部側吸引孔を有して、駆動される前記無端ベルトの一部を支持して案内する支持部とを備え、
前記ベルト側吸引孔と前記支持部側吸引孔とが互いに略重なったときに吸引力を発生して、前記無端ベルトの表面に支持される被搬送媒体を吸引して当該被搬送媒体を所定方向へ搬送する記録装置であって、
前記複数の支持部側吸引孔は、前記支持部上に搬送方向、及び、搬送方向と直交する方向に格子状に配され、
前記ベルト側吸引孔における搬送方向の最大長さは、互いに搬送方向に隣接した二つの前記支持部側吸引孔の外周の最も近い距離よりも大きく形成され、
搬送方向に隣接して配される二つの前記ベルト側吸引孔の間に、搬送方向に直交する方向について隣接した前記ベルト側吸引孔が少なくとも１つ配されることを特徴とする記録装置。
【請求項５】
往復移動しつつインクを吐出する記録ヘッドと、
表裏を貫通する複数のベルト側吸引孔を有して、前記記録ヘッドに対向する位置において、前記往復移動の方向と交差する搬送方向に走行する無端ベルトと、
減圧源に連通した複数の支持部側吸引孔を有して、駆動される前記無端ベルトの一部を支持して案内する支持部とを備え、
前記ベルト側吸引孔と前記支持部側吸引孔とが互いに略重なったときに吸引力を発生して、前記無端ベルトの表面に支持される被搬送媒体を吸引して当該被搬送媒体を所定方向へ搬送する記録装置であって、
前記複数のベルト側吸引孔は、前記被搬送媒体の搬送方向、及び、搬送方向と直交する方向に格子状に配され、
前記支持部側吸引孔における搬送方向の最大長さは、互いに搬送方向に隣接した二つの前記ベルト側吸引孔の外周の最も近い距離よりも大きく形成され、
搬送方向に隣接して配される二つの前記支持部側吸引孔の間に、搬送方向に直交する方向について隣接した前記支持部側吸引孔が少なくとも１つ配されることを特徴とする記録装置。
【発明の詳細な説明】
【技術分野】
【０００１】
本発明は、被搬送媒体搬送装置および記録装置に関する。より詳細には、シート状の被搬送媒体を吸引しつつ搬送する被搬送媒体搬送装置と、その被搬送媒体搬送装置を備えた記録装置とに関する。
【背景技術】
【０００２】
紙、樹脂フィルム、テキスタイル製品等のシート状の被搬送媒体を搬送する被搬送媒体搬送装置がある。この種の装置では、一対のロール間に張り渡されたベルトの上に被搬送媒体を載せて、ベルトの走行に従って移動させる。
【０００３】
更に、ベルト上で被搬送媒体が移動し、あるいは、被搬送媒体に皺、弛み等が生じることを防止する目的で、ベルトに対して被搬送媒体を吸着させる場合がある。これにより、搬送量を確実に制御できると共に、被搬送媒体とベルトとの間に摺動が生じないので、被搬送媒体の表面に擦過傷が生じることを防止できる。
【０００４】
被搬送媒体をベルトに吸着させる方法としては、ベルトを帯電させて静電吸着する方法の他、負圧に連通した吸引孔をベルトに形成して吸引する方法がある。これにより、被搬送媒体の表面性状、電気的性質を選ぶことなくベルトに吸着させて搬送できる。
【０００５】
下記の特許文献１には、表裏を貫通する貫通孔を有して走行する搬送ベルトと、負圧に連通する複数の開口を有する吸引装置と、表裏を貫通する開口を有して搬送ベルトおよび吸引装置の間に配置された開閉ベルトとを備えた記録材搬送装置が記載される。この記録材搬送装置では、吸引装置の開口と開閉ベルトの開口とが一致した領域において、搬送ベルトの表面に記録材が吸引され、搬送ベルトと共に移動する。また、また、下記の特許文献２には、多数の吸着孔を有する吸着ローラを備えた記録媒体搬送機構が記載される。
【特許文献１】特開平０７−２８１４９５号公報
【特許文献２】特開２００１−３３５１８３号公報
【発明の開示】
【発明が解決しようとする課題】
【０００６】
しかしながら、ベルトに吸着して被搬送媒体を搬送する被搬送媒体搬送装置では、負圧に連通されつつベルトを支持する支持部側吸引孔が固定されているのに対して、ベルトの表裏を貫通して形成された吸引孔はベルトと共に不断に移動するので、ベルトの表面における吸引力が変動する。このため、被搬送媒体の領域によって吸引力が異なり、却って被搬送媒体が変形する場合があった。
【課題を解決するための手段】
【０００７】
そこで、上記課題を解決すべく、本発明の第１の形態として、表裏を貫通する複数のベルト側吸引孔を有する無端ベルトと、減圧源に連通した複数の支持部側吸引孔を有して、駆動される無端ベルトの一部を支持して案内する支持部とを備え、ベルト側吸引孔と支持部側吸引孔とが互いに略重なったときに吸引力を発生して、無端ベルトの表面に支持される被搬送媒体を吸引して当該被搬送媒体を所定方向へ搬送する被搬送媒体搬送装置であって、複数の支持部側吸引孔は、支持部上に搬送方向、及び、搬送方向と直交する方向に格子状に配され、ベルト側吸引孔における搬送方向の最大長さは、互いに搬送方向に隣接した二つの支持部側吸引孔の外周の最も近い距離よりも大きく形成され、搬送方向に隣接して配される二つのベルト側吸引孔の間に、搬送方向に直交する方向について隣接したベルト側吸引孔が少なくとも１つ配されることを特徴とする被搬送媒体搬送装置が提供される。これにより、被搬送媒体を吸引して搬送する場合に、無端ベルトが被搬送媒体に接する領域全体において均一な吸引力が維持され続ける。
【０００８】
また、本発明の第２の形態として、表裏を貫通する複数のベルト側吸引孔を有する無端ベルトと、減圧源に連通した複数の支持部側吸引孔を有して、駆動される無端ベルトの一部を支持して案内する支持部とを備え、ベルト側吸引孔と支持部側吸引孔とが互いに略重なったときに吸引力を発生して、無端ベルトの表面に支持される被搬送媒体を吸引して当該被搬送媒体を所定方向へ搬送する被搬送媒体搬送装置であって、複数のベルト側吸引孔は、被搬送媒体の搬送方向、及び、搬送方向と直交する方向に格子状に配され、支持部側吸引孔における搬送方向の最大長さは、互いに搬送方向に隣接した二つのベルト側吸引孔の外周の最も近い距離よりも大きく形成され、搬送方向に隣接して配される二つの支持部側吸引孔の間に、搬送方向に直交する方向について隣接した支持部側吸引孔が少なくとも１つ配されることを特徴とする被搬送媒体搬送装置が提供される。これによっても、被搬送媒体を吸引して搬送する場合に、無端ベルトが被搬送媒体に接する領域全体において均一な吸引力が維持され続ける。
【０００９】
また、上記被搬送媒体搬送装置において、ベルト側吸引孔および支持部側吸引孔の少なくとも一方は、搬送方向、および、搬送方向に直交する方向に一定の吸引孔間隔で複数配されて集合体をなし、集合体は、吸引孔間隔よりも広い集合体間隔で複数配置されてもよい。これにより、少ない数のベルト側吸引孔および支持部側吸引孔を用いて均一な吸引力を発生させることができる。
【００１０】
更に、本発明の第３の形態として、往復移動しつつインクを吐出する記録ヘッドと、表裏を貫通する複数のベルト側吸引孔を有して、記録ヘッドに対向する位置において、往復移動の方向と交差する搬送方向に走行する無端ベルトと、減圧源に連通した複数の支持部側吸引孔を有して、駆動される無端ベルトの一部を支持して案内する支持部とを備え、ベルト側吸引孔と支持部側吸引孔とが互いに略重なったときに吸引力を発生して、無端ベルトの表面に支持される被搬送媒体を吸引して当該被搬送媒体を所定方向へ搬送する記録装置であって、複数の支持部側吸引孔は、支持部上に搬送方向、及び、搬送方向と直交する方向に格子状に配され、ベルト側吸引孔における搬送方向の最大長さは、互いに搬送方向に隣接した二つの支持部側吸引孔の外周の最も近い距離よりも大きく形成され、搬送方向に隣接して配される二つのベルト側吸引孔の間に、搬送方向に直交する方向について隣接したベルト側吸引孔が少なくとも１つ配されることを特徴とする記録装置が提供される。これにより、記録装置において上記の効果を享受できる。
【００１１】
また更に、本発明の第４の形態として、往復移動しつつインクを吐出する記録ヘッドと、表裏を貫通する複数のベルト側吸引孔を有して、記録ヘッドに対向する位置において、往復移動の方向と交差する搬送方向に走行する無端ベルトと、減圧源に連通した複数の支持部側吸引孔を有して、駆動される無端ベルトの一部を支持して案内する支持部とを備え、ベルト側吸引孔と支持部側吸引孔とが互いに略重なったときに吸引力を発生して、無端ベルトの表面に支持される被搬送媒体を吸引して当該被搬送媒体を所定方向へ搬送する記録装置であって、複数のベルト側吸引孔は、被搬送媒体の搬送方向、及び、搬送方向と直交する方向に格子状に配され、支持部側吸引孔における搬送方向の最大長さは、互いに搬送方向に隣接した二つのベルト側吸引孔の外周の最も近い距離よりも大きく形成され、搬送方向に隣接して配される二つの支持部側吸引孔の間に、搬送方向に直交する方向について隣接した支持部側吸引孔が少なくとも１つ配されることを特徴とする記録装置が提供される。これにより記録装置において、前記の効果を享受できる。
【００１２】
なお、上記の発明の概要は、本発明の必要な特徴の全てを列挙したものではない。また、これらの特徴群のサブコンビネーションも発明となり得る。
【発明を実施するための最良の形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【実施例１】
【００１４】
図１は、一実施形態に係るインクジェット式記録装置１００の外観を示す斜視図である。なお、このインクジェット式記録装置１００は、例えばＪＩＳ規格のＡ０判、ＪＩＳ規格のＢ０判といった大判の単票、同単票と同じ用紙幅を有するロール紙にインクを吐出することより記録をする。被記録媒体としては、紙の他に、樹脂フィルム等を用いることもできる。
【００１５】
同図に示すように、インクジェット式記録装置１００は、互いに積層された上部筐体１１２および下部筐体１１４と、下部筐体１１４の下に吊り下げられた小型筐体１１６とを含む筐体１１０を有する。筐体１１０は、下方から脚部１２０により持ち上げられて支持される。これにより、筐体１１０の下方に、記録済みの記録用紙１５０を排出するスペースが形成される。
【００１６】
また、上部筐体１１２には、このインクジェット式記録装置１００をスタンドアロンで操作する場合に使用する操作パネル１３０が設けられる。操作パネル１３０には、インクジェット式記録装置１００の動作状態を示す表示パネル、表示ランプ等が設けられる場合もある。一方、下部筐体１１４には、インクを収容したインクカートリッジ２４０を装填するカートリッジホルダ１４０が設けられる。
【００１７】
このインクジェット式記録装置１００において、画像を記録された記録用紙１５０は、上部筐体１１２および下部筐体１１４の間から前方に送り出される。送り出された記録用紙１５０は、自重により下方に垂れ下がる。このため、上部筐体１１２および下部筐体１１４の間隙に見える吸引プラテン２５０の前端には、記録用紙１５０を円滑に案内する滑らかな案内面１１５が形成される。
【００１８】
図２は、インクジェット式記録装置１００を背面から見た様子を示す斜視図である。同図に示すように、インクジェット式記録装置１００の背面において、下部筐体１１４の後部には、水平に掛け渡されたスピンドル１６０と、スピンドル１６０を挿通されて水平に支持されたロール１５２とが装着される。ロール１５２は、長尺の記録用紙１５０を巻き重ねて形成される。図１に示した記録用紙１５０は、ロール１５２から引き出されて、筐体１１０の内部を通過した後に前面に引き出された記録用紙１５０の前端に相当する。
【００１９】
図３は、インクジェット式記録装置１００の内部機構２００の構造を模式的に示す斜視図である。同図に示すように、内部機構２００は、ガイド軸２７０、記録ヘッド組立体２３０および吸引プラテン２５０を含む。
【００２０】
ガイド軸２７０は、筐体１１０の長手方向に水平に延在する。記録ヘッド組立体２３０は、記録ヘッド３１０と、記録ヘッド３１０をガイド軸２７０の延在方向に挟む一対の紫外線照射ヘッド３２０とを含み、ガイド軸２７０に沿って図中に矢印で示す往復移動方向Ｍに往復移動する。
【００２１】
記録ヘッド３１０は、その下面にノズルを有して、紫外線硬化型インクを吐出する。一方、紫外線照射ヘッド３２０は、紫外線を発生する紫外線光源と、紫外線光源が発生した紫外線を記録用紙１５０の表面に導く反射鏡とを有する。
【００２２】
紫外線光源としては、メタルハライドランプ、キセノンランプ、カーボンアーク灯、ケミカルランプ、低圧水銀ランプ、高圧水銀ランプ等の紫外線ランプを例示できる。また、インジウム窒化ガリウム（ＩｎＧａＮ）、窒化ガリウム（ＧａＮ）、アルミニウム窒化ガリウム（ＡｌＧａＮ）等を材料とする発光ダイオードを紫外線光源として用いることもできる。反射鏡は、鏡面仕上げされた反射面を有するアルミ板等により形成できる。
【００２３】
ガイド軸２７０の後方には、一対のプーリ２６０に掛けわたされたタイミングベルト２２０が配置される。プーリ２６０の一方は、キャリッジモータ２２２により回転駆動される。従って、キャリッジモータ２２２を動作させることにより、タイミングベルト２２０はプーリ２６０の間でガイド軸２７０に対して平行に走行する。更に、タイミングベルト２２０の一部は、記録ヘッド組立体２３０に結合される。従って、キャリッジモータ２２２の動作に応じて記録ヘッド組立体２３０が往復移動方向Ｍに沿って移動する。
【００２４】
更に、ガイド軸２７０の上方に、往復移動方向Ｍに対して平行なリニアスケール２１４が配される。リニアスケール２１４は、透明な担体と、往復移動方向Ｍについて一定の周期で担体に形成された遮光帯とを有する。一方、記録ヘッド組立体２３０は、遮光帯を検出して計数する検知部を備える。これらにより、記録ヘッド組立体２３０の移動量が正確に検知される。なお、これらガイド軸２７０、記録ヘッド組立体２３０、タイミングベルト２２０およびリニアスケール２１４は、上部筐体１１２に収容される。
【００２５】
一方、記録ヘッド組立体２３０の移動範囲の下方には、吸引プラテン２５０が配置される。吸引プラテン２５０は、下部筐体１１４に収容される。吸引プラテン２５０は、記録用紙１５０を下方から支持すると共に吸着する。これにより、巻き癖等のついた記録用紙１５０も、記録ヘッド３１０の下方では平坦に保持される。
【００２６】
また、吸引プラテン２５０は、ロール１５２から記録用紙１５０を引き出してインクジェット式記録装置１００の前面に向かって搬送する搬送装置も兼ねる。吸引プラテン２５０の詳細な構造と動作については、図４を参照して後述する。
【００２７】
更に、記録ヘッド組立体２３０の移動方向について吸引プラテン２５０の外側には、フラッシング部２９０およびキャップ２８０が順次配置される。フラッシング部２９０は、記録ヘッド３１０から大量のインクを吐出させるフラッシングが実行された場合に、吐出されたインクを吸収する。このようなフラッシングにより、増粘したインクを記録ヘッド３１０から除去することができる。
【００２８】
また、キャップ２８０は、インクジェット式記録装置１００が休止している期間に、記録ヘッド３１０の下面を気密に封止する。これにより、記録ヘッド３１０においてインクが増粘または固化することを防止する。
【００２９】
図４は、吸引プラテン２５０の構造を、記録用紙１５０の搬送方向Ｓに沿って切った断面において示す図である。同図に示すように、吸引プラテン２５０は、一対のローラ２５６と、ローラ２５６に掛け渡された無端ベルト２５４と、ローラ２５６の間で上側の無端ベルト２５４を下方から支持する支持部２５２とを含む。
【００３０】
ローラ２５６は、付勢部材２５５により互いに離間する方向に付勢される。これにより、無端ベルト２５４に弛みが生じることが防止される。支持部２５２の内部は、ダクト２５７を介して吸引ファン２５８に連通する。また、吸引ファン２５８は、ダクト２５９を介して外部に連通する。これにより、吸引ファン２５８を動作させることにより支持部２５２内部の空気が排気されて負圧が生じる。
【００３１】
図５は、支持部２５２および無端ベルト２５４を上方から見下ろした様子を示す平面図である。また、無端ベルト２５４の一部分Ａを拡大して、無端ベルト２５４の変位に応じた状態の変化を併せて示す。
【００３２】
同図に示すように、支持部２５２は、搬送方向Ｓおよび往復移動方向Ｍに沿ってマトリックス状に配列された複数の支持部側吸引孔２５１を上面に有する。支持部側吸引孔２５１は、支持部２５２内部の負圧に連通する。
【００３３】
一方、無端ベルト２５４も、その表裏を貫通する複数のベルト側吸引孔２５３を有する。ベルト側吸引孔２５３も２次元状に配置される。ただし、搬送方向Ｓに関しては直線的な列をなしているのに対して、搬送方向Ｍに関しては傾斜した列をなす。
【００３４】
これにより、搬送方向Ｓに隣接して配されて列Ｘをなす二つのベルト側吸引孔２５３の最も遠い端部の間に、往復移動方向Ｍについて隣接して列Ｙをなすベルト側吸引孔２５３が少なくとも１つ配される。また、ベルト側吸引孔２５３における搬送方向の最大長さである直径は、搬送方向に互いに隣接した二つの支持部側吸引孔２５１の外周の最も近い距離よりも大きい。
【００３５】
右側に部分Ａの状態の遷移を拡大して示すように、列Ｘをなす支持部側吸引孔２５１とベルト側吸引孔２５３とが同じ位置にある場合（状態１）は、支持部側吸引孔２５１およびベルト側吸引孔２５３が連通して、無端ベルト２５４の上の記録用紙１５０が吸着される。やがて、無端ベルト２５４が移動して、支持部側吸引孔２５１とベルト側吸引孔２５３とはずれ始めるが、隣接する列Ｙにおいては、他のベルト側吸引孔２５３と他の支持部側吸引孔２５１との重なりが大きくなり（状態２）、列Ｙのベルト側吸引孔２５３において吸引力が大きくなり始める。
【００３６】
更に無端ベルト２５４が移動して、列Ｘにおける支持部側吸引孔２５１およびベルト側吸引孔２５３の重なりが小さくなり始めると（状態３）、列Ｙにおいて支持部側吸引孔２５１およびベルト側吸引孔２５３の重なりが大きくなる。従って、隣接するふたつの列Ｘ、Ｙを合わせると、部分Ａ全体の吸引力は殆ど変化しない。
【００３７】
更に無端ベルト２５４が移動すると（状態４）、列Ｘにおいては支持部側吸引孔２５１およびベルト側吸引孔２５３の重なりが非常に小さくなるが、列Ｙにおいては支持部側吸引孔２５１およびベルト側吸引孔２５３が略完全に重なる。更に無端ベルト２５４が移動すると（状態５）、列Ｘにおける支持部側吸引孔２５１およびベルト側吸引孔２５３の重なりは殆どなくなるが、列Ｙにおける支持部側吸引孔２５１およびベルト側吸引孔２５３は完全に重なり、部分Ａにおいて当初の状態１と同じ吸引力が生じる。
【００３８】
以下、無端ベルト２５４の移動に従って上記の状態の遷移が繰り返されるので、無端ベルト２５４は、記録用紙１５０を継続的に吸着される。無端ベルト２５４に吸着された記録用紙１５０は、無端ベルト２５４の移動と共に搬送されるので、無端ベルト２５４の移動量を制御することにより記録用紙１５０の搬送量を正確に制御できる。
【００３９】
また、記録用紙１５０は、無端ベルト２５４に吸着されて移動するので、記録用紙１５０と無端ベルト２５４との間に摺動が生じることがない。従って、摺動に起因する記録用紙１５０の擦過傷等が根本的に防止される。
【００４０】
なお、上記の例では、支持部側吸引孔２５１の配列は搬送方向Ｓおよび往復移動方向Ｍのいずれに対しても平行に形成されるが、ベルト側吸引孔２５３は、搬送方向Ｓには直線状に配列される一方、往復移動方向については非直線的に配列された。しかしながら、これを逆にして、支持部側吸引孔２５１を非直線状に配列した場合でも、同様の作用を得ることができる。
【００４１】
以上のような構造を有するインクジェット式記録装置１００においては、まず、吸引プラテン２５０が、記録用紙１５０の新たな領域を記録ヘッド３１０の下方に送り込む。送りこまれた記録用紙１５０は、記録ヘッド３１０の下方において平坦に保持される。
【００４２】
記録ヘッド３１０は、往復移動方向Ｍに移動しながら、記録用紙１５０の表面に向けてインクを吐出する。また、記録ヘッド３１０に追従する側の紫外線照射ヘッド３２０は、記録用紙１５０上に記録ヘッド３１０が吐出した直後の紫外線硬化型インクに対して紫外線を照射する。これにより、紫外線硬化型インクが順次硬化されて、記録用紙１５０の表面に画像が固定される。
【００４３】
以下、吸引プラテン２５０による搬送方向Ｓへの記録用紙１５０の搬送と、記録ヘッド３１０が往復移動方向Ｍに往復移動しつつ紫外線硬化型インクを吐出する動作とを交互に繰り返して、記録用紙１５０表面の任意の領域にインクを付着させて画像を形成する。なお、紫外線光源部３２２から放射される紫外線は、記録ヘッド３１０から吐出される全ての種類の紫外線硬化型インクを硬化させることができる帯域をすべて含み、記録用紙１５０に付着した紫外線硬化型インクを一括して硬化させることができる。
【００４４】
図６から図１０までは、それぞれ、他の実施形態に係る搬送装置を兼ねた吸引プラテン２５０の構造を、図５に対照して示す平面図である。なお、以下に説明する固有の点を除くと、各実施形態に係る吸引プラテン２５０は、図１から図５までに示した吸引プラテン２５０およびインクジェット式記録装置１００と共通の構造を有する。そこで、共通の構成要素には同じ参照番号を付して重複する説明を省く。
【００４５】
図６に示す吸引プラテン２５０は、無端ベルト２５４において列Ｘ、Ｙを形成するベルト側吸引孔２５３の間隔が広い。これに対して、列方向について、支持部側吸引孔２５１は、図５に示した実施形態と同じ間隔を有する。
【００４６】
しかしながら、搬送方向Ｓに隣接して配されて列Ｘをなす二つのベルト側吸引孔２５３の間に、往復移動方向Ｍについて隣接して列Ｙをなすベルト側吸引孔２５３が少なくとも１つ配される。また、ベルト側吸引孔２５３における搬送方向の最大長さである直径は、搬送方向に互いに隣接した二つの支持部側吸引孔２５１の外周の最も近い距離よりも大きい。従って、図５に示した実施形態と同様に、無端ベルト２５４の表面には、継続的な吸引力が発生する。従って、無端ベルト２５４は、記録用紙１５０を吸着したまま移動して搬送する。
【００４７】
図６に示す吸引プラテン２５０では、無端ベルト２５４において列Ｘ、Ｙを形成するベルト側吸引孔２５３の間隔が広い。これに対して、列方向について、支持部側吸引孔２５１は、図５に示した実施形態と同じ間隔を有する。
【００４８】
しかしながら、搬送方向Ｓに隣接して配されて列Ｘをなす二つのベルト側吸引孔２５３の間に、往復移動方向Ｍについて隣接して列Ｙをなすベルト側吸引孔２５３が少なくとも１つ配される。また、ベルト側吸引孔２５３における搬送方向の最大長さである直径は、搬送方向に互いに隣接した二つの支持部側吸引孔２５１の外周の最も近い距離よりも大きい。従って、図５に示した実施形態と同様に、無端ベルト２５４の表面には、継続的な吸引力が発生して、無端ベルト２５４は、記録用紙１５０を吸着したまま移動して搬送する。
【００４９】
図７に示した吸引プラテン２５０では、無端ベルト２５４において列Ｘ、Ｙを形成するベルト側吸引孔２５３の間隔も、支持部側吸引孔２５１の列方向の間隔も、いずれもが図５に示した実施形態と同じである。ただし、往復移動方向Ｍについて列Ｘに隣接して列Ｙおよび列Ｚをなして、列Ｘにおいて搬送方向Ｓに隣接する２つのベルト側吸引孔２５３の最も遠い端部の間に位置するベルト側吸引孔２５３をそれぞれ有する。これにより、無端ベルト２５４の表面における吸引力の変動は一段と平準化され、記録用紙１５０を安定的に保持して搬送する。
【００５０】
図８に示す吸引プラテン２５０は、図７に示す吸引プラテン２５０と同様に、往復移動方向Ｍについて列Ｘに隣接して列Ｙおよび列Ｚをなして、列Ｘにおいて搬送方向Ｓに隣接する２つのベルト側吸引孔２５３の最も遠い端部の間に位置するベルト側吸引孔２５３をそれぞれ有する。ただし、各列Ｘ、Ｙ、Ｚにおいて、搬送方向Ｓに係るベルト側吸引孔２５３の間隔は、支持部側吸引孔２５１の２倍ある。
【００５１】
しかしながら、この吸引プラテン２５０においても、ベルト側吸引孔２５３における搬送方向の最大長さである直径は、搬送方向に互いに隣接した二つの支持部側吸引孔２５１の外周の最も近い距離よりも大きい。従って、図５に示した実施形態と同様に、無端ベルト２５４の表面には、継続的な吸引力が発生して、無端ベルト２５４は、記録用紙１５０を吸着したまま移動して搬送する。
【００５２】
図９に示す吸引プラテン２５０は、図８に示す吸引プラテン２５０に対して、各列Ｘ、Ｙ、Ｚにおけるベルト側吸引孔２５３の間隔が更に広く、搬送方向Ｓに係る支持部側吸引孔２５１の間隔の３倍ある。しかしながら、この吸引プラテン２５０においても、ベルト側吸引孔２５３における搬送方向の最大長さである直径は、搬送方向に互いに隣接した二つの支持部側吸引孔２５１の外周の最も近い距離よりも大きく、無端ベルト２５４の表面には、継続的な吸引力が発生する。従って、無端ベルト２５４は、記録用紙１５０を吸着したまま移動して搬送する。
【００５３】
図１０に示す吸引プラテン２５０において、支持部２５２は、搬送方向Ｓおよび往復移動方向Ｍに隣接したそれぞれ４個の支持部側吸引孔２５１を含むグループを複数有する。これに対して、無端ベルト２５４は、搬送方向Ｓについて異なる位置に配置された一対のベルト側吸引孔２５３を含むグループを複数備える。
【００５４】
しかしながら、各列、Ｘ、Ｙに着目すると、ベルト側吸引孔２５３における搬送方向の最大長さである直径は、搬送方向に互いに隣接した二つの支持部側吸引孔２５１の外周の最も近い距離よりも大きい。また、列Ｙにおけるベルト側吸引孔２５３は、列Ｘにおいて搬送方向Ｓに隣接する２つのベルト側吸引孔２５３の最も遠い端部の間に位置する。従って、この吸引プラテン２５０も、継続的な吸引力を発生して、無端ベルト２５４は、記録用紙１５０を吸着したまま移動して搬送する。
【００５５】
図１１および図１２は、他の実施形態に係る吸引プラテン２５０の構造を、図４に対照して示す断面図である。なお、以下に説明する部分を除くと、この吸引プラテン２５０は、図４に示した吸引プラテン２５０と同じ構造を有する。そこで、共通の構成要素には同じ参照番号を付して、重複する説明を省く。
【００５６】
図１１に示す吸引プラテン２５０において、無端ベルト２５４は内面に一定周期で形成された歯を有する。一方、ローラ２５６の各々は、その周面に歯を形成されて歯車を形成する。無端ベルト２５４の歯とローラ２５６の歯は相互に相補的な形状を有して噛み合う。これにより、無端ベルト２５４は、ローラ２５６に対して全く滑ることなく、ローラ２５６の回転に従って走行する。従って、ローラ２５６の回転量に基づいて、無端ベルト２５４による記録用紙１５０の搬送量を正確に制御できる。
【００５７】
図１２に示す吸引プラテン２５０は、回転駆動されるローラ２５６に対して無端ベルト２５４を押し付けるピンチローラ３５６を有する。ピンチローラ３５６は、ローラ２５６の回転軸と平行な軸の回りに回転自在に装着される。これにより、ピンチローラ３５６は、ローラ２５６の回転に連れ回される。従って、無端ベルト２５４をローラ２５６に押し付ける一方で、ローラ２５６の回転を妨げることがない。
【００５８】
これにより、無端ベルト２５４は、ローラ２５６に対して滑ることなく、ローラ２５６の回転に従って走行する。従って、ローラ２５６の回転量に基づいて、無端ベルト２５４による記録用紙１５０の搬送量を正確に制御できる。
【００５９】
以上、本発明を実施の形態を用いて説明したが、本発明の技術的範囲は上記実施の形態に記載の範囲には限定されない。上記実施の形態に、多様な変更または改良を加え得ることは当業者に明らかである。また、そのような変更または改良を加えた形態も本発明の技術的範囲に含まれ得ることが、特許請求の範囲の記載から明らかである。
【図面の簡単な説明】
【００６０】
【図１】インクジェット式記録装置１００を前面から見た外観を示す斜視図である。
【図２】インクジェット式記録装置１００を背面から見た外観を示す斜視図である。
【図３】インクジェット式記録装置１００の内部機構２００を示す斜視図である。
【図４】吸引プラテン２５０の構造を示す断面図である。
【図５】吸引プラテン２５０の構造を示す平面図である。
【図６】他の吸引プラテン２５０の構造を示す平面図である。
【図７】他の吸引プラテン２５０の構造を示す平面図である。
【図８】他の吸引プラテン２５０の構造を示す平面図である。
【図９】他の吸引プラテン２５０の構造を示す平面図である。
【図１０】他の吸引プラテン２５０の構造を示す平面図である。
【図１１】他の吸引プラテン２５０の構造を示す断面図である。
【図１２】他の吸引プラテン２５０の構造を示す断面図である。
【符号の説明】
【００６１】
１００  インクジェット式記録装置、１１０、３２８  筐体、１１２  上部筐体、１１４  下部筐体、１１５  案内面、１１６  小型筐体、１２０  脚部、１３０  操作パネル、１４０  カートリッジホルダ、１５０  記録用紙、１５２  ロール、１６０  スピンドル、２００  内部機構、２２０  タイミングベルト、２２２  キャリッジモータ、２３０  記録ヘッド組立体、２４０  インクカートリッジ、２５０  吸引プラテン、２６０  プーリ、２７０  ガイド軸、２８０  キャップ、２９０  フラッシング部、３１０  記録ヘッド、３２０  紫外線照射ヘッド、２５１  支持部側吸引孔、２５２  支持部、２５３  ベルト側吸引孔、２５４  無端ベルト、２５５  付勢部材、２５６  ローラ、２５７、２５９  ダクト、２５８  吸引ファン、３５６  ピンチローラ
【図１】
2009107768.tif 000003
【図２】
2009107768.tif 000004
【図３】
2009107768.tif 000005
【図４】
2009107768.tif 000006
【図５】
2009107768.tif 000007
【図６】
2009107768.tif 000008
【図７】
2009107768.tif 000009
【図８】
2009107768.tif 000010
【図９】
2009107768.tif 000011
【図１０】
2009107768.tif 000012
【図１１】
2009107768.tif 000013
【図１２】
2009107768.tif 000014